(57)【要約】      （修正有）【課題】作業スペースの圧迫およびエレベータ利用者の利便性の低下を防止する。【解決手段】乗場操作盤２０は、無線通信部６１と制御部６２とを備える。無線通信部６１は、新設のエレベータの第１のエレベータ制御盤４２と無線接続可能である。制御部６２は、既設のエレベータの第２のエレベータ制御盤４１と接続可能であり、操作部２００と接続される。制御部６２は、第１のエレベータ制御盤４２と無線接続され、第２のエレベータ制御盤４１と接続されていない第１の状態においては、操作部２００で受け付けた操作に応じた乗場呼びを第１のエレベータ制御盤４２へ登録する。また、制御部６２は、第１のエレベータ制御盤４２と無線接続されず、第２のエレベータ制御盤４１と接続された第２の状態においては、操作部２００で受け付けた操作に応じた乗場呼びを第２のエレベータ制御盤４１へ登録する。【選択図】図５
2019108185.tif 000002
【特許請求の範囲】
【請求項１】
新設のエレベータを示す第１のエレベータの乗りかごの昇降を制御する第１のエレベータ制御盤と無線接続可能な無線通信部と、
既設のエレベータを示す第２のエレベータの乗りかごの昇降を制御する第２のエレベータ制御盤と接続可能であり、かつ、乗場呼びを要求する操作を受け付ける操作部と接続された制御部と、を備え、
前記制御部は、
前記無線通信部を介して前記第１のエレベータ制御盤と無線接続され、かつ、前記第２のエレベータ制御盤と接続されていない第１の状態においては、前記操作部で受け付けた操作に応じた前記乗場呼びを前記第１のエレベータ制御盤へ登録し、
前記無線通信部を介して前記第１のエレベータ制御盤と無線接続されず、かつ、前記第２のエレベータ制御盤と接続された第２の状態においては、前記操作部で受け付けた操作に応じた前記乗場呼びを前記第２のエレベータ制御盤へ登録する、
乗場操作盤。
【請求項２】
新設のエレベータを示す第１のエレベータの乗りかごの昇降を制御する第１のエレベータ制御盤と無線接続可能な無線通信部と、
既設のエレベータを示す第２のエレベータの乗りかごの昇降を制御する第２のエレベータ制御盤と接続可能であり、かつ、前記乗場呼びを要求する操作を受け付ける操作部と接続された制御部と、を備え、
前記制御部は、前記無線通信部を介して前記第１のエレベータ制御盤と無線接続され、かつ、前記第２のエレベータ制御盤と接続された状態において、前記操作部で受け付けた操作に応じた前記乗場呼びを、前記第１のエレベータ制御盤または前記第２のエレベータ制御盤へ登録する、
乗場操作盤。
【請求項３】
前記乗場呼びが前記第１のエレベータ制御盤または前記第２のエレベータ制御盤に登録されているか否かを確認するための乗場呼び応答灯を有し、
前記制御部は、
前記操作部で操作を受け付けた場合は、前記乗場呼び応答灯を点灯させる制御を行い、
前記第１のエレベータ制御盤または前記第２のエレベータ制御盤から、前記乗場呼び応答灯を消灯させることを要求する消灯信号を受信した場合は、前記乗場呼び応答灯を消灯させる制御を行う、
請求項２に記載の乗場操作盤。
【請求項４】
前記制御部は、
前記操作部で受け付けた操作に応じた前記乗場呼びを前記第１のエレベータ制御盤へ登録してから一定時間経過しても、前記第１のエレベータ制御盤から前記消灯信号を受信しない場合は、前記乗場呼びを前記第２のエレベータ制御盤へ登録し、
前記操作部で受け付けた操作に応じた前記乗場呼びを前記第２のエレベータ制御盤へ登録してから一定時間経過しても、前記第２のエレベータ制御盤から前記消灯信号を受信しない場合は、前記乗場呼びを前記第１のエレベータ制御盤へ登録する、
請求項３に記載の乗場操作盤。
【請求項５】
前記第１のエレベータ制御盤から、前記第１のエレベータの現在の状態を示す状態情報を取得する動作確認部を有し、
前記制御部は、
前記動作確認部により取得された前記状態情報を元に、前記操作部で受け付けた操作に応じた前記乗場呼びを、前記第１のエレベータ制御盤または前記第２のエレベータ制御盤へ登録する、
請求項２乃至４のうちの何れか１項に記載の乗場操作盤。
【請求項６】
前記動作確認部により取得された前記状態情報から、前記第１のエレベータが前記乗場呼びに応答したことが確認された場合、前記第１のエレベータの乗りかごが到着したことを報知する到着報知部を有する、
請求項５に記載の乗場操作盤。
【請求項７】
乗場操作盤による制御方法であって、
新設のエレベータを示す第１のエレベータの乗りかごの昇降を制御する第１のエレベータ制御盤と無線接続され、かつ、既設のエレベータを示す第２のエレベータの乗りかごの昇降を制御する第２のエレベータ制御盤と接続された状態において、乗場呼びを要求する操作を受け付ける操作部で受け付けた操作に応じた前記乗場呼びを、前記第１のエレベータ制御盤または前記第２のエレベータ制御盤へ登録するステップを含む、
制御方法。
【発明の詳細な説明】
【技術分野】
【０００１】
本発明は、乗場操作盤および制御方法に関する。
【背景技術】
【０００２】
エレベータのリニューアル（更新）は、法改正による新たな安全基準を満たし、かつ、工事期間を短縮するため、巻上機と制御盤を交換して乗りかごを残すのが主流である。ここで、巻上機と制御盤を同時に交換すると、その交換作業の間、エレベータを利用できなくなるので、旧巻上機（既設の巻上機）と新巻上機（新設の巻上機）の両方を制御可能な制御装置を使用し、工事期間中でもエレベータの利用を確保する技術が知られている。この場合、新制御盤に対しても、乗りかごや乗場の呼び登録を行う必要があるので、例えば操作盤で受け付けた乗場呼びを新制御盤に登録するための装置を新たに設ける技術が知られている。
【０００３】
また、２台以上のエレベータを１つの群として制御する群管理エレベータのリニューアル工事においては、各エレベータを順次工事する。この場合、新制御盤と旧制御盤を同時に稼働させる必要があるが、新制御盤と旧制御盤では、乗場呼びの情報を入出力するインタフェースが異なるため、同一の乗場操作盤を使用することはできない。そのため、リニューアル工事中は仮設の乗場呼びボタンを増設する方法が知られている。
【先行技術文献】
【特許文献】
【０００４】
【特許文献１】特許第５７５００３４号公報
【特許文献２】特開平９−１８３５７９号公報
【発明の概要】
【発明が解決しようとする課題】
【０００５】
しかしながら、従来においては、エレベータのリニューアル工事において、乗場操作盤で受け付けた乗場呼びを新制御盤に登録する際に、その登録を行うための装置を別に設ける必要があるので、作業スペースを圧迫する上に利便性にも欠けるという問題があった。
【課題を解決するための手段】
【０００６】
実施形態の乗場操作盤は、無線通信部と制御部とを備える。無線通信部は、新設のエレベータを示す第１のエレベータの乗りかごの昇降を制御する第１のエレベータ制御盤と無線接続可能である。制御部は、既設のエレベータを示す第２のエレベータの乗りかごの昇降を制御する第２のエレベータ制御盤と接続可能であり、かつ、乗場呼びを要求する操作を受け付ける操作部と接続される。制御部は、無線通信部を介して第１のエレベータ制御盤と無線接続され、かつ、第２のエレベータ制御盤と接続されていない第１の状態においては、操作部で受け付けた操作に応じた乗場呼びを第１のエレベータ制御盤へ登録する。また、制御部は、第１のエレベータ制御盤と無線接続されず、かつ、第２のエレベータ制御盤と接続された第２の状態においては、操作部で受け付けた操作に応じた乗場呼びを第２のエレベータ制御盤へ登録する。
【０００７】
実施形態の乗場操作盤は、無線通信部と制御部とを備える。無線通信部は、新設のエレベータを示す第１のエレベータの乗りかごの昇降を制御する第１のエレベータ制御盤と無線接続可能である。制御部は、既設のエレベータを示す第２のエレベータの乗りかごの昇降を制御する第２のエレベータ制御盤と接続可能であり、かつ、乗場呼びを要求する操作を受け付ける操作部と接続される。制御部は、無線通信部を介して第１のエレベータ制御盤と無線接続され、かつ、第２のエレベータ制御盤と接続された状態において、操作部で受け付けた操作に応じた乗場呼びを、第１のエレベータ制御盤または第２のエレベータ制御盤へ登録する。
【０００８】
実施形態の乗場操作盤による制御方法は、新設のエレベータを示す第１のエレベータの乗りかごの昇降を制御する第１のエレベータ制御盤と無線接続され、かつ、既設のエレベータを示す第２のエレベータの乗りかごの昇降を制御する第２のエレベータ制御盤と接続された状態において、乗場呼びを要求する操作を受け付ける操作部で受け付けた操作に応じた乗場呼びを、第１のエレベータ制御盤または第２のエレベータ制御盤へ登録するステップを含む。
【図面の簡単な説明】
【０００９】
【図１】第１の実施形態のリニューアル工事前のエレベータシステムの構成図。
【図２】第１の実施形態のリニューアル工事中のエレベータシステムの構成図。
【図３】第１の実施形態の乗場操作盤の正面図。
【図４】第１の実施形態の乗場操作盤の断面図。
【図５】第１の実施形態の乗場操作盤の構成を説明するための図。
【図６】第２の実施形態のリニューアル工事中のエレベータシステムの構成図。
【図７】第２の実施形態の乗場操作盤の構成を説明するための図。
【図８】第２の実施形態の乗場操作盤の動作例を示すフローチャート。
【発明を実施するための形態】
【００１０】
以下、添付図面を参照しながら、実施形態に係る乗場操作盤および制御方法を詳細に説明する。
【００１１】
（第１の実施形態）
図１は、リニューアル工事前のエレベータシステム１００の構成を示す図である。図１に示すように、エレベータシステム１００は、乗場呼びを受け付ける複数（図１の例では３つであるが、これに限られない）の乗場操作盤２と、機械室３に設置されたエレベータ制御盤４と、ケーブル５と、乗りかご９と、を備える。
【００１２】
乗場操作盤２は、エレベータの利用者が乗りかご９を利用者の階に呼び寄せるための乗場呼びを要求する操作を受け付けるための操作盤である。ここでは、乗場操作盤２は、乗場呼びを要求する操作を受け付けるボタン（「操作部」の一例）を備える。
【００１３】
乗場操作盤２は、複数の乗場１のそれぞれに設けられる。エレベータ制御盤４は、乗場操作盤２で受け付けた操作に応じた乗場呼びに従って、乗りかご９の昇降を制御する。ケーブル５は、各乗場操作盤２とエレベータ制御盤４を接続する。なお、例えば乗場操作盤２とケーブル５との間に伝送変換装置などが設けられる形態であってもよい。
【００１４】
図２は、エレベータ制御盤４をリニューアルする際のエレベータシステム１００の構成を示す図である。以下の説明では、新設のエレベータ制御盤を「第１のエレベータ制御盤４２」と称し、既設のエレベータ制御盤４を「第２のエレベータ制御盤４１」と称する。図２の例では、乗場１ごとに設けられる乗場操作盤２０は、第１のエレベータ制御盤４２と無線接続可能な無線装置６を備える。この例における無線装置６はバッテリーで駆動する。第１のエレベータ制御盤４２は、乗場操作盤２０で受け付けた操作に応じた乗場呼びに従って、乗りかご９を昇降させる。以下、乗場操作盤２０の具体的な構成を説明する。
【００１５】
図３は、乗場操作盤２０の正面図である。図３に示すように、乗場操作盤２０は、乗りかご９を上方向に向かって呼び寄せるための上方向乗場呼びボタン２１と、上方向乗場呼びボタン２１が押下されたときに該ボタン２１に光を照らす上方向乗場呼び応答灯２１ａと、乗りかご９を下方向に向かって呼び寄せるための下方向乗場呼びボタン２２と、下方向乗場呼びボタン２２が押下されたときに該ボタン２２に光を照らす下方向乗場呼び応答灯２２ａと、を備える。
【００１６】
図４は、乗場操作盤２０の断面図である。図４に示すように、乗場操作盤２０は、乗場１と、乗りかご９が昇降する昇降路７を分ける乗場壁８に設置される。
【００１７】
図５は、乗場操作盤２０の具体的な構成の一例を示す図である。図５に示すように、乗場操作盤２０は、無線装置６と、乗場呼びを要求する操作を受け付ける操作部２００とを備える。図５の例では、操作部２００は、上方向乗場呼びボタン２１と、上方向乗場呼び応答灯２１ａと、下方向乗場呼びボタン２２と、下方向乗場呼び応答灯２２ａと、を含むが、これに限られるものではない。上方向乗場呼び応答灯２１ａ、および、下方向乗場呼び応答灯２２ａは、乗場呼びが第１のエレベータ制御盤４２または第２のエレベータ制御盤４１に登録されているか否かを確認するための「乗場呼び応答灯」の一例である。
【００１８】
無線装置６は、無線通信部６１と、制御部６２とを備える。無線通信部６１は、新設のエレベータを示す第１のエレベータの乗りかご９の昇降を制御する第１のエレベータ制御盤４２と無線接続可能である。第１のエレベータ制御盤４２は、無線通信部６１と無線接続可能な無線通信部４２１と、第１のエレベータを制御する第１のエレベータ制御部４２２と、を備える。
【００１９】
制御部６２は、既設のエレベータを示す第２のエレベータの乗りかご９の昇降を制御する第２のエレベータ制御盤４１と接続可能（この例では有線接続可能）であり、かつ、操作部２００と接続（この例では有線接続）される。第２のエレベータ制御盤４１は、第２のエレベータを制御する第２のエレベータ制御部４１１を備える。
【００２０】
本実施形態では、制御部６２は、無線通信部６１を介して第１のエレベータ制御盤４２と無線接続され、かつ、第２のエレベータ制御盤４１と接続（この例では有線接続）されていない第１の状態においては、操作部２００で受け付けた操作に応じた乗場呼びを第１のエレベータ制御盤４２へ登録する。また、制御部６２は、無線通信部６１を介して第１のエレベータ制御盤４２と無線接続されず、かつ、第２のエレベータ制御盤４１と接続された第２の状態においては、操作部２００で受け付けた操作に応じた乗場呼びを第２のエレベータ制御盤４１へ登録する。この例では、乗場操作盤２０の制御部６２は、予め設定された階床情報を有しており、その階床情報と、操作部２００で受け付けたボタン操作とに基づいて、乗場呼びの情報（どの階に乗りかごを呼び寄せるのかを示す情報）を生成して、第１のエレベータ制御盤４２または第２のエレベータ制御盤４１へ登録することができる。この乗場呼びの情報は、「操作部２００で受け付けた操作に応じた乗場呼び」に相当する。
【００２１】
また、制御部６２は、操作部２００で操作を受け付けた場合（この例では、上方向乗場呼びボタン２１または下方向乗場呼びボタン２２の押下を受け付けた場合）は、乗場呼び応答灯（この例では、上方向乗場呼び応答灯２１ａまたは下方向乗場呼び応答灯２２ａ）を点灯させる制御を行う。そして、制御部６２は、第１のエレベータ制御盤４２または第２のエレベータ制御盤４１から、乗場呼び応答灯を消灯させることを要求する消灯信号を受信した場合は、乗場呼び応答灯を消灯させる制御を行う。
【００２２】
以上に説明した制御部６２は、ＣＰＵと、プログラム等の各種のデータが記憶される記憶装置と、を備えたハードウェア構成であってもよい。この場合、ＣＰＵがプログラムを実行することにより、上述した制御部６２の各機能が実現される。また、これに限らず、例えば上述の制御部６２が有する複数の機能ごとに、当該機能を実現するための専用のハードウェア回路（半導体集積回路等）が設けられる形態であってもよい。
【００２３】
本実施形態では、乗場操作盤２０は、第１のエレベータ制御盤４２または第２のエレベータ制御盤４１と択一的に接続される。例えば第２のエレベータ制御盤４１を第１のエレベータ制御盤４１へ交換する場合を想定する。この場合、第２のエレベータ制御盤４１が取り外されても、乗場操作盤２０は第１のエレベータ制御盤４２と無線接続されるので、乗場操作盤２０は、操作部２００で受け付けた操作に応じた乗場呼びを第１のエレベータ制御盤４２へ登録することができる。第１のエレベータ制御盤４２は、登録された乗場呼びに応答するよう乗りかご９の昇降を制御し、その応答が完了すると、乗場操作盤２０に対して、乗場呼び応答灯を消灯させることを要求する消灯信号を送信する。この消灯信号を受信した乗場操作盤２０は、エレベータ利用者によるボタン押下により点灯していた乗場呼び応答灯を消灯させる制御を行う。
【００２４】
以上に説明したように、本実施形態の乗場操作盤２０は、新設の第１のエレベータ制御盤４２と無線接続可能な無線通信部６１を有し、かつ、既設の第２のエレベータ制御盤４１と有線接続可能である。これにより、例えば第２のエレベータ制御盤４１を第１のエレベータ制御盤４２へ交換する際にも、乗場操作盤２０は、第１のエレベータ制御盤４２と無線接続して、操作部２００で受け付けた操作に応じた乗場呼びを第１のエレベータ制御盤４２に登録することができる。つまり、リニューアル工事の際に、乗場操作盤２０とは別に、第１のエレベータ制御盤４２へ乗場呼びを登録するための装置を設ける必要は無いので、作業スペースを圧迫することもない。また、エレベータ利用者は、リニューアル工事中における乗場呼びの際に、通常時とは異なる特別な操作をする必要もないので、リニューアル工事中におけるエレベータ利用者の利便性が低下することもない。
【００２５】
（第２の実施形態）
次に、第２の実施形態を説明する。上述の第１の実施形態と共通する部分については適宜に説明を省略する。
【００２６】
上述の第１の実施形態では、乗場操作盤２０は、第１のエレベータ制御盤４２または第２のエレベータ制御盤４１と択一的に接続されていたが、本実施形態の乗場操作盤は、第１のエレベータ制御盤および第２のエレベータ制御盤の両方と接続され得る。そして、乗場操作盤の制御部は、第１のエレベータ制御盤と無線接続され、かつ、第２のエレベータ制御盤と接続された状態において、操作部で受け付けた操作に応じた乗場呼びを、第１のエレベータ制御盤または第２のエレベータ制御盤へ登録する。以下、具体的に説明する。
【００２７】
図６は、本実施形態のエレベータシステム２１０の構成を示す図である。エレベータシステム２１０は、複数のエレベータを１つの群として制御する群管理エレベータシステムである。図６の例では、エレベータシステム２１０は、３台のエレベータ（１２０、２２０、３２０）を制御する群管理エレベータシステムである。
【００２８】
図６に示すように、エレベータシステム２１０は、３台のエレベータ（１２０、２２０、３２０）と、１台目のエレベータ１２０の乗りかご９の昇降を制御するエレベータ制御盤１０４と、２台目のエレベータ２２０の乗りかご９の昇降を制御するエレベータ制御盤２０４と、３台目のエレベータ３２０の乗りかご９の昇降を制御するエレベータ制御盤３０４と、複数の乗場操作盤１０２と、ケーブル１０５と、を備える。エレベータ制御盤１０４、２０４、３０４は機械室１０３に設置される。
【００２９】
ここでは、１台目のエレベータ１２０がリニューアル済みであり、２台目のエレベータ２２０がリニューアル工事のために休止中であることを前提とする。以下の説明では、新設のエレベータ１２０を「第１のエレベータ１２０」、新設のエレベータ１２０を制御するエレベータ制御盤１０４を「第１のエレベータ制御盤１０４」、既設のエレベータ３２０を「第２のエレベータ３２０」、既設のエレベータ３２０を制御するエレベータ制御盤３０４を「第２のエレベータ制御盤３０４」と称する。
【００３０】
図６の例では、乗場１ごとに２つの乗場操作盤１０２が設けられる。そして、各乗場操作盤１０２は、新設の第１のエレベータ制御盤１０４と無線接続可能な無線装置１０６を有している。また、各乗場操作盤１０２は、ケーブル１０５を介して既設の第２のエレベータ制御盤３０４と接続される。
【００３１】
図７は、乗場操作盤１０２の具体的な構成の一例を示す図である。図７に示すように、乗場操作盤１０２は、無線装置１０６と、乗場呼びを要求する操作を受け付ける操作部２００と、を備える。ここでは、操作部２００の構成は図５と同様であるので、詳細な説明は省略する。
【００３２】
無線装置１０６は、無線通信部１０６１と、制御部１０６２と、エレベータ呼び応答確認部１０６３と、動作確認部１０６４と、乗場呼び登録判定部１０６５と、到着報知部１０６６と、を備える。
【００３３】
無線通信部１０６１は、第１のエレベータ制御盤１０４と無線接続可能である。第１のエレベータ制御盤１０４は、無線通信部１０６１と無線接続可能な無線通信部１０４１と、第１のエレベータ１２０を制御する第１のエレベータ制御部１０４２と、を備える。
【００３４】
制御部１０６２は、第２のエレベータ制御盤３０４と接続可能（この例では有線接続可能）であり、かつ、操作部２００と接続（この例では有線接続）される。第１のエレベータ制御盤３０４は、第２のエレベータ３２０を制御する第２のエレベータ制御部３０４１を備える。さらに、制御部１０６２は、エレベータ呼び応答確認部１０６３、動作確認部１０６４、乗場呼び登録判定部１０６５、および、到着報知部１０６６の各々と有線または無線で接続される。
【００３５】
制御部１０６２は、無線通信部１０６１を介して第１のエレベータ制御盤１０４と無線接続され、かつ、第２のエレベータ制御盤３０４と接続された状態において、操作部２００で受け付けた操作に応じた乗場呼びを、第１のエレベータ制御盤１０４または第２のエレベータ制御盤３０４へ登録する。また、上述の第１の実施形態と同様、制御部１０６２は、乗場呼びを要求する操作（乗場呼びボタンを押下する操作）を操作部２００で受け付けた場合は、乗場呼び応答灯を点灯させる制御を行い、第１のエレベータ制御盤１０４または第２のエレベータ制御盤３０４から、乗場呼び応答灯を消灯させることを要求する消灯信号を受信した場合は、乗場呼び応答灯を消灯させる制御を行う。
【００３６】
制御部１０６２は、操作部２００で受け付けた操作に応じた乗場呼びを第１のエレベータ制御盤１０４へ登録してから一定時間経過しても、第１のエレベータ制御盤１０４から消灯信号を受信しない場合は、該乗場呼びを第２のエレベータ制御盤３０４へ登録する。また、制御部１０６２は、操作部２００で受け付けた操作に応じた乗場呼びを第２のエレベータ制御盤３０４へ登録してから一定時間経過しても、第２のエレベータ制御盤３０４から消灯信号を受信しない場合は、該乗場呼びを第１のエレベータ制御盤１０４へ登録する。
【００３７】
また、制御部１０６２は、後述の動作確認部１０６４により取得された状態情報を元に、操作部２００で受け付けた操作に応じた乗場呼びを、第１のエレベータ制御盤１０４または第２のエレベータ制御盤３０４へ登録する。なお、制御部１０６２が、操作部２００で受け付けた操作に応じた乗場呼びを、第１のエレベータ制御盤１０４および第２のエレベータ制御盤３０４のうちの何れに登録するかを決定する方法については後述する。
【００３８】
エレベータ呼び応答確認部１０６３は、無線通信部１０６１を介して、第１のエレベータ制御盤１０４または第２のエレベータ制御盤３０４から消灯信号を受信したか否かを確認する。例えばエレベータ呼び応答確認部１０６３は、制御部１０６２による第１のエレベータ制御盤１０４への乗場呼びの登録が行われた後に一定の間隔で、第１のエレベータ制御盤１０４から消灯信号を受信したか否かを確認し、その確認結果を後述の乗場呼び登録判定部１０６５へ通知する。
【００３９】
動作確認部１０６４は、無線通信部１０６１を介して、第１のエレベータ１２０の現在の状態を示す状態情報を取得する。この例では、動作確認部１０６４は、一定の間隔で、第１のエレベータ制御盤１０４から状態情報を取得（受信）し、取得した状態情報を後述の乗場呼び登録判定部１０６５へ入力する。状態情報に含まれる情報としては、例えば第１のエレベータ１２０が通常運転中であるか否か、乗りかご９の積載率、第１のエレベータ１２０が乗場呼びまたはかご呼びに応答中であるか否か、乗りかご９の移動方向などを示す情報が挙げられる。
【００４０】
乗場呼び登録判定部１０６５は、エレベータ呼び応答確認部１０６３による確認、または、動作確認部１０６４により取得された状態情報に基づいて、操作部２００で受け付けた操作に応じた乗場呼びを、第１のエレベータ制御盤１０４および第２のエレベータ制御盤３０４のうちの何れに登録するかを判定（決定）する。
【００４１】
例えば乗場呼び登録判定部１０６５は、制御部１０６２による第１のエレベータ制御盤１０４への乗場呼びの登録が行われてから一定時間経過しても、エレベータ呼び応答確認部１０６３による第１のエレベータ制御盤１０４からの消灯信号の受信が確認されない場合は、該乗場呼びを第２のエレベータ制御盤３０４へ登録することを決定し、その決定を制御部１０６２へ通知する。また、乗場呼び登録判定部１０６５は、制御部１０６２による第２のエレベータ制御盤３０４への乗場呼びの登録が行われてから一定時間経過しても、エレベータ呼び応答確認部１０６３による第２のエレベータ制御盤３０４からの消灯信号の受信が確認されない場合は、該乗場呼びを第１のエレベータ制御盤１０４へ登録することを決定し、その決定を制御部１０６２へ通知する。制御部１０６２は、乗場呼び登録判定部１０６５からの通知に従って、操作部２００で受け付けた操作に応じた乗場呼びを、第１のエレベータ制御盤１０４または第２のエレベータ制御盤３０４に登録し、乗場呼びの登録を行った旨を乗場呼び登録判定部１０６５へ返信する。これにより、乗場呼び登録判定部１０６５は、制御部１０６２によって、第１のエレベータ制御盤１０４および第２のエレベータ制御盤３０４の何れに乗場呼びの登録が行われたのかを把握することができる。
【００４２】
また、乗場呼び登録判定部１０６５は、動作確認部１０６４により取得された状態情報を元に、操作部２００で受け付けた操作に応じた乗場呼びを、第１のエレベータ制御盤１０４および第２のエレベータ制御盤３０４のうちの何れに登録するかを決定する。この例では、乗場呼び登録判定部１０６５は、動作確認部１０６４により取得された状態情報から、第１のエレベータ１２０が通常運転中で積載率が閾値（例えば８０％等）以下であり、かつ、乗場呼びまたはかご呼びに応答中であることを前提として（正常に運転中であることを前提として）、乗りかご９の移動方向と乗場呼びの方向とが一致し、乗りかご９の移動方向の先に乗場呼びの階が位置すると判断した場合は、操作部２００で受け付けた操作に応じた乗場呼びを新設の第１のエレベータ制御盤１０４に登録することを決定する。一方、乗りかごの９の移動方向の先に乗場呼びの階が位置しないと判断した場合は、操作部２００で受け付けた操作に応じた乗場呼びを既設の第２のエレベータ制御盤３０４に登録することを決定する。このようにして、乗場呼び登録判定部１０６５は、操作部２００で受け付けた操作に応じた乗場呼びを、第１のエレベータ制御盤１０４および第２のエレベータ制御盤３０４のうちの何れに登録するかを決定し、その決定を制御部１０６２へ通知する。制御部１０６２は、乗場呼び登録判定部１０６５からの通知に従って、操作部２００で受け付けた操作に応じた乗場呼びを、第１のエレベータ制御盤１０４または第２のエレベータ制御盤３０４に登録し、登録を行った旨を乗場呼び登録判定部１０６５へ返信する。
【００４３】
到着報知部１０６６は、動作確認部１０６４により取得された状態情報から、第１のエレベータ１２０が乗場呼びに応答したことが確認された場合、第１のエレベータ１２０の乗りかご９が到着したことを報知する。報知の形態は任意であるが、例えば音を出力することで報知する形態であってもよい。
【００４４】
図８は、本実施形態の乗場操作盤１０２の動作例を示すフローチャートである。図８に示すように、まず乗場操作盤１０２（制御部１０６２）は、乗場呼びボタン（この例では、上方向乗場呼びボタン２１または下方向乗場呼びボタン２２）の押下を受け付けたか否かを確認する（ステップＳ１）。
【００４５】
ステップＳ１の結果が肯定の場合（ステップＳ１：Ｙｅｓ）、乗場操作盤１０２（乗場呼び登録判定部１０６５）は、第１のエレベータ制御盤１０４から取得した状態情報を元に、第１のエレベータ１２０が通常運転中、かつ、積載率は閾値（この例では８０％）以下であるか否かを確認する（ステップＳ２）。ステップＳ２の結果が否定の場合（ステップＳ２：Ｎｏ）、処理は後述のステップＳ１２に移行する。
【００４６】
ステップＳ２の結果が肯定の場合（ステップＳ２：Ｙｅｓ）、乗場操作盤１０２（乗場呼び登録判定部１０６５）は、第１のエレベータ制御盤１０４から取得した状態情報を元に、第１のエレベータ１０４が乗場あるいはかご呼びに応答中であるか否かを確認する（ステップＳ３）。ステップＳ３の結果が否定の場合（ステップＳ３：Ｎｏ）、処理は後述のステップＳ１２に移行する。
【００４７】
ステップＳ３の結果が肯定の場合（ステップＳ３：Ｙｅｓ）、乗場操作盤１０２（乗場呼び登録判定部１０６５）は、第１のエレベータ制御盤１０４から取得した状態情報を元に、第１のエレベータ１２０の乗りかご９の移動方向と、乗場呼びの方向（上方向または下方向）とが同一であるか否かを確認する（ステップＳ４）。ステップＳ４の結果が否定の場合（ステップＳ４：Ｎｏ）、処理は後述のステップＳ１２に移行する。
【００４８】
ステップＳ４の結果が肯定の場合（ステップＳ４：Ｙｅｓ）、乗場操作盤１０２（乗場呼び登録判定部１０６５）は、乗場呼びの方向が上方向であるか否かを確認する（ステップＳ５）。ステップＳ５の結果が否定の場合（ステップＳ５：Ｎｏ）、乗場操作盤１０２（乗場呼び登録判定部１０６５）は、乗場呼びの階（乗場呼びボタンが押下された階）よりも乗りかご９の位置が上であるか否かを確認する（ステップＳ７）。ステップＳ７の結果が否定の場合（ステップＳ７：Ｎｏ）、処理は後述のステップＳ１２に移行する。ステップＳ７の結果が肯定の場合（ステップＳ７：Ｙｅｓ）、処理は後述のステップＳ８に移行する。
【００４９】
一方、上述のステップＳ５の結果が肯定の場合（ステップＳ５：Ｙｅｓ）、乗場操作盤１０２（乗場呼び登録判定部１０６５）は、乗場呼びの階（乗場呼びボタンが押下された階）よりも乗りかご９の位置が下であるか否かを確認する（ステップＳ６）。ステップＳ６の結果が否定の場合（ステップＳ６：Ｎｏ）、処理は後述のステップＳ１２に移行する。ステップＳ６の結果が肯定の場合（ステップＳ６：Ｙｅｓ）、処理は後述のステップＳ８に移行する。
【００５０】
ステップＳ８において、乗場操作盤１０２（乗場呼び登録判定部１０６５）は、上述のステップＳ１で受け付けた操作に応じた乗場呼びの情報を、新設の第１のエレベータ制御盤１０４に登録することを決定し、乗場操作盤１０２（制御部１０６２）は、無線通信部１０６１を介して、該乗場呼びの情報を第１のエレベータ制御盤１０４に登録する（ステップＳ８）。そして、乗場操作盤１０２（エレベータ呼び応答確認部１０６３、乗場呼び登録判定部１０６５）は、第１のエレベータ制御盤１０４から消灯信号を受信したか否かを確認する（ステップＳ９）。ステップＳ９の結果が否定の場合（ステップＳ９：Ｎｏ）、乗場操作盤１０２（乗場呼び登録判定部１０６５）は、一定時間が経過したか否かを確認する（ステップＳ１０）。ステップＳ１０の結果が肯定の場合（ステップＳ１０：Ｙｅｓ）、処理は後述のステップＳ１２に移行する。一方、上述のステップＳ９の結果が肯定の場合（ステップＳ９：Ｙｅｓ）、乗場操作盤１０２（到着報知部１０６６）は、第１のエレベータ制御盤１０４から取得した状態情報から、第１のエレベータ１２０が乗場呼びに応答したことを確認した場合に、第１のエレベータ１２０の乗りかご９が到着したことを報知する（ステップＳ１１）。
【００５１】
図８に示すステップＳ１２において、乗場操作盤１０２（乗場呼び登録判定部１０６５）は、上述のステップＳ１で受け付けた操作に応じた乗場呼びの情報を、既設の第２のエレベータ制御盤３０４に登録することを決定し、乗場操作盤１０２（制御部１０６２）は、該乗場呼びの情報を第２のエレベータ制御盤３０４に登録する（ステップＳ１２）。そして、乗場操作盤１０２（エレベータ呼び応答確認部１０６３、乗場呼び登録判定部１０６５）は、第２のエレベータ制御盤３０４から消灯信号を受信したか否かを確認する（ステップＳ１３）。ステップＳ１３の結果が否定の場合（ステップＳ１３：Ｎｏ）、乗場操作盤１０２（乗場呼び登録判定部１０６５）は、一定時間が経過したか否かを確認する（ステップＳ１４）。ステップＳ１４の結果が肯定の場合（ステップＳ１４：Ｙｅｓ）、処理は上述のステップＳ８に移行し、乗場呼びは、第１のエレベータ制御盤１０４へ登録されることになる。
【００５２】
以上に説明したように、本実施形態の乗場操作盤１０２は、新設の第１のエレベータ制御盤１０４と無線接続可能な無線通信部１０６１を有し、かつ、既設の第２のエレベータ制御盤３０４と有線接続可能である。そして、乗場操作盤１０２の制御部１０６２は、第１のエレベータ制御盤１０４と無線接続され、かつ、第２のエレベータ制御盤３０４と接続された状態において、操作部２００で受け付けた操作に応じた乗場呼びを、第１のエレベータ制御盤１０４または第２のエレベータ制御盤３０４へ登録する。つまり、本実施形態によれば、新設の第１のエレベータ制御盤１０４と既設の第２のエレベータ制御盤３０４を同時に稼働させるために、乗場操作盤１０２とは別の装置（仮設の操作装置等）を設ける必要はないので、作業スペースを圧迫することもない。また、エレベータ利用者は、群管理エレベータシステムに含まれる１つのエレベータのリニューアル工事中における乗場呼びの際に、通常時とは異なる特別な操作をする必要もないので、リニューアル工事中におけるエレベータ利用者の利便性が低下することもない。
【００５３】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。また、上述の各実施形態および変形例は、任意に組み合わせることができる。
【符号の説明】
【００５４】
１…乗場、２…乗場操作盤、３…機械室、４…エレベータ制御盤、５…ケーブル、６…無線装置、９…乗りかご、２０…乗場操作盤、２１…上方向乗場呼びボタン、２１ａ…上方向乗場呼び応答灯、２２…下方向乗場呼びボタン、２２ａ…下方向乗場呼び応答灯、４１…第２のエレベータ制御盤、４２…第１のエレベータ制御盤、６１…無線通信部、６２…制御部、１００…エレベータシステム、１０２…乗場操作盤、１０４…エレベータ制御盤（第１のエレベータ制御盤）、１０５…ケーブル、１０６…無線装置、１２０…エレベータ、２０４…エレベータ制御盤、２１０…エレベータシステム、２２０…エレベータ、３２０…エレベータ、１０６１…無線通信部、１０６２…制御部、１０６３…エレベータ呼び応答確認部、１０６４…動作確認部、１０６５…乗場呼び登録判定部、１０６６…到着報知部、１０４１…無線通信部、１０４２…第１のエレベータ制御部、３０４１…第２のエレベータ制御部
【図１】
2019108185.tif 000003
【図２】
2019108185.tif 000004
【図３】
2019108185.tif 000005
【図４】
2019108185.tif 000006
【図５】
2019108185.tif 000007
【図６】
2019108185.tif 000008
【図７】
2019108185.tif 000009
【図８】
2019108185.tif 000010